(57)【要約】【課題】術者が被検体と放射線画像とを同時に観察しながら治療を行うことができ、かつ術者に照射される放射線の被曝線量を低減することができる可搬型放射線画像検出装置及び放射線画像撮影システムを提供する。【解決手段】電子カセッテ２０が、患者を透過して照射面３６Ａから照射された放射線Ｘを検出して、検出した放射線量に応じた放射線画像を示す画像情報を出力する放射線検出器３６と、表示面４２Ａが照射面３６Ａと反対方向を向くように放射線検出器３６の照射面３６Ａの反対側に配置され、放射線検出器３６から出力された画像情報に基づいた放射線画像が表示面４２Ａに表示されるディスプレイ４２と、放射線検出器３６とディスプレイ４２との間に介在され、放射線検出器３６を透過した放射線がディスプレイ４２に照射されないように遮蔽する鉛板３８と、を含む。【選択図】図３
2010042197.tif 000002
【特許請求の範囲】
【請求項１】
放射線が照射される照射面を備え、被検体を透過して前記照射面から照射された放射線を検出して、検出した放射線量に応じた放射線画像を示す画像情報を出力する放射線検出手段と、
表示面を備え、前記表示面が前記照射面と反対方向を向くように前記放射線検出手段の前記照射面の反対側に配置され、前記放射線検出手段から出力された前記画像情報に基づいた放射線画像が前記表示面に表示される表示手段と、
前記放射線検出手段と前記表示手段との間に介在され、前記放射線検出手段を透過した放射線が前記表示手段に照射されないように遮蔽する遮蔽部材と、
を含む可搬型放射線画像検出装置。
【請求項２】
放射線が照射される照射面及び該照射面の反対側に設けられた放射線を遮蔽する遮蔽部材を備え、被検体を透過して前記照射面から照射された放射線を検出して、検出した放射線量に応じた放射線画像を示す画像情報を出力する放射線検出手段と、
表示面を備え、前記表示面が前記照射面と反対方向を向くように前記放射線検出手段の前記遮蔽部材側に配置され、前記放射線検出手段から出力された前記画像情報に基づいた放射線画像が前記表示面に表示される表示手段と、
を含む可搬型放射線画像検出装置。
【請求項３】
放射線が照射される照射面を備え、被検体を透過して前記照射面から照射された放射線を検出して、検出した放射線量に応じた放射線画像を示す画像情報を出力する放射線検出手段と、
表示面及び該表示面の反対側に設けられた放射線を遮蔽する遮蔽部材を備え、前記表示面が前記照射面と反対方向を向くように前記放射線検出手段の前記照射面の反対側に配置され、前記放射線検出手段から出力された前記画像情報に基づいた放射線画像が前記表示面に表示される表示手段と、
を含む可搬型放射線画像検出装置。
【請求項４】
前記遮蔽部材を、放射線を遮蔽する材料を樹脂内部に含浸または練り込んで構成した請求項１〜請求項３の何れか１項に記載の可搬型放射線画像検出装置。
【請求項５】
前記遮蔽部材を金属で構成した請求項１〜請求項３の何れか１項に記載の可搬型放射線画像検出装置。
【請求項６】
放射線が照射される照射面を備え、被検体を透過して前記照射面から照射された放射線を検出して、検出した放射線量に応じた放射線画像を示す画像情報を出力する放射線検出手段と、
表示面を備え、前記表示面が前記照射面と反対方向を向くように前記放射線検出手段の前記照射面の反対側に配置され、前記放射線検出手段から出力された前記画像情報に基づいた放射線画像が前記表示面に表示される表示手段と、
可視光が透過する材料で構成され、放射線を遮蔽する材料を含有し、前記表示面を覆うカバー部材と、
を含む可搬型放射線画像検出装置。
【請求項７】
前記表示手段は、略実寸サイズの大きさの放射線画像を表示する請求項１〜請求項６の何れか１項に記載の可搬型放射線画像検出装置。
【請求項８】
被検体を載置するための放射線が透過可能な部材で構成された載置台と、
前記載置台の前記被検体が載置される側と反対側に配置される放射線源と、
請求項１〜請求項７の何れか１項に記載の可搬型放射線画像検出装置と、
を含む放射線画像撮影システム。
【請求項９】
前記載置台の前記被検体が載置される側に配置されると共に、当該載置台に設けられ、前記可搬型放射線画像検出装置を支持する支持部材を更に含む請求項８記載の放射線画像撮影システム。
【請求項１０】
前記支持部材は、前記可搬型放射線画像検出装置の支持位置を調整する調整手段を備える請求項９記載の放射線画像撮影システム。
【請求項１１】
前記載置台に設けられ、前記支持部材を当該載置台上で移動させる第１の移動手段と、
前記支持部材の移動経路に対応するように前記放射線源を移動させる第２の移動手段と、を更に含む請求項９または請求項１０記載の放射線画像撮影システム。
【請求項１２】
前記可搬型放射線画像検出装置及び前記放射線源を相対的な位置関係を維持した状態で移動させるように前記第１の移動手段及び前記第２の移動手段を制御する制御手段を更に含む請求項１１記載の放射線画像撮影システム。
【発明の詳細な説明】
【技術分野】
【０００１】
本発明は、可搬型放射線画像検出装置及び放射線画像撮影システムに係り、特に、画像を表示する表示手段を備えた可搬型放射線画像検出装置、及び当該可搬型放射線画像検出装置を備えた放射線画像撮影システムに関する。
【背景技術】
【０００２】
先端に様々な器具を取り付けたカテーテルを患者（以下、「被検体」とも言う。）の体内に挿入して、患者の体内の状態をモニターに表示される放射線画像によりリアルタイムで観察しながら、カテーテルの先端を病変部にまで到達させ、カテーテルを体外で操作することにより治療を行う、いわゆるＩＶＲ（Interventional Radiology）が急速に普及しだしている。
【０００３】
ところで、ＩＶＲでは、術者がモニターに表示される放射線画像を観察しながら治療を行うが、患者と放射線画像とを同時に観察しながら治療を行うことが難しい、という問題点があった。
【０００４】
特許文献１には、外部から照射された放射線により表わされる放射線画像を示す画像情報を生成する撮像パネルと、背面に設けられ、当該画像情報により示される放射線画像を表示する表示手段と、を備えたカセッテ型放射線画像読取装置（以下、「可搬型放射線画像検出装置」又は「電子カセッテ」とも言う。）が開示されている。
【０００５】
ＩＶＲを行うにあたり、例えば、患者が横臥しているベッドの患者が横臥している側と反対側に、患者に対して放射線を照射する放射線源を配置すると共に、特許文献１の電子化カセッテを、放射線源との間にベッド及び患者が位置し、撮像パネルが放射線源の放射線の照射方向に対向するように、かつ術者の眼下に表示手段が位置するように配置することにより、放射線照射装置から照射された放射線は、ベッド及び患者を透過し、患者を透過することで画像情報を担持した後に撮像パネルに照射され、当該画像情報により示される放射線画像が撮像され、当該放射線画像が表示手段に表示される。これにより、術者は表示手段に表示される放射線画像と患者とを同時に観察しながら治療を行うことができる。
【特許文献１】特開２０００−１３１７８５号公報
【発明の開示】
【発明が解決しようとする課題】
【０００６】
しかしながら、術者が表示手段を覗き込んだ際に被曝してしまう、という問題点があった。
【０００７】
本発明は上記問題点を解決するために成されたものであり、術者が被検体と放射線画像とを同時に観察しながら治療を行うことができ、かつ術者に照射される放射線の被曝線量を低減することができる可搬型放射線画像検出装置及び放射線画像撮影システムを提供することを目的とする。
【課題を解決するための手段】
【０００８】
上記目的を達成するために、請求項１に記載の可搬型放射線画像検出装置は、放射線が照射される照射面を備え、被検体を透過して前記照射面から照射された放射線を検出して、検出した放射線量に応じた放射線画像を示す画像情報を出力する放射線検出手段と、表示面を備え、前記表示面が前記照射面と反対方向を向くように前記放射線検出手段の前記照射面の反対側に配置され、前記放射線検出手段から出力された前記画像情報に基づいた放射線画像が前記表示面に表示される表示手段と、前記放射線検出手段と前記表示手段との間に介在され、前記放射線検出手段を透過した放射線が前記表示手段に照射されないように遮蔽する遮蔽部材と、を含んで構成されている。
【０００９】
請求項１に記載の可搬型放射線画像検出装置によれば、放射線が照射される照射面が備えられた放射線検出手段により、被検体を透過して照射面から照射された放射線が検出され、検出された放射線量に応じた放射線画像を示す画像情報が出力される。
【００１０】
また、本発明では、表示面が放射線検出手段の照射面と反対方向を向くように放射線検出手段の照射面の反対側に配置された表示手段により、放射線検出手段から出力された画像情報に基づいた放射線画像が表示面に表示される。
【００１１】
ここで、本発明では、放射線検出手段と表示手段との間に介在された遮蔽部材により、放射線検出手段を透過した放射線が表示手段に照射されないように遮蔽される。
【００１２】
このように、請求項１に記載の可搬型放射線画像検出装置によれば、表示面が放射線検出手段の照射面と反対方向を向くように放射線検出手段の照射面の反対側に配置された表示手段によって放射線画像が表示されると共に、放射線検出手段を透過した放射線が表示手段に照射されないように遮蔽部材によって遮蔽されるので、術者が被検体と放射線画像とを同時に観察しながら治療を行うことができ、かつ術者に照射される放射線の被曝線量を低減することができる。
【００１３】
一方、上記目的を達成するために、請求項２に記載の可搬型放射線画像検出装置は、放射線が照射される照射面及び該照射面の反対側に設けられた放射線を遮蔽する遮蔽部材を備え、被検体を透過して前記照射面から照射された放射線を検出して、検出した放射線量に応じた放射線画像を示す画像情報を出力する放射線検出手段と、表示面を備え、前記表示面が前記照射面と反対方向を向くように前記放射線検出手段の前記遮蔽部材側に配置され、前記放射線検出手段から出力された前記画像情報に基づいた放射線画像が前記表示面に表示される表示手段と、を含んで構成されている。
【００１４】
請求項２に記載の可搬型放射線画像検出装置によれば、放射線が照射される照射面及び該照射面の反対側に設けられた放射線を遮蔽する遮蔽部材が備えられた放射線検出手段により、被検体を透過して照射面から照射された放射線が検出され、検出された放射線量に応じた放射線画像を示す画像情報が出力される。
【００１５】
ここで、本発明では、表示面が放射線検出手段の照射面と反対方向を向くように放射線検出手段の遮蔽部材側に配置された表示手段により、放射線検出手段から出力された画像情報に基づいた放射線画像が表示面に表示される。
【００１６】
このように、請求項２に記載の可搬型放射線画像検出装置によれば、放射線検出手段の照射面の反対側に設けられた遮蔽部材によって放射線が遮蔽されると共に、表示面が放射線検出手段の照射面と反対方向を向くように放射線検出手段の遮蔽部材側に配置された表示手段によって放射線画像が表示されるので、術者が被検体と放射線画像とを同時に観察しながら治療を行うことができ、かつ術者に照射される放射線の被曝線量を低減することができる。
【００１７】
一方、上記目的を達成するために、請求項３に記載の可搬型放射線画像検出装置は、放射線が照射される照射面を備え、被検体を透過して前記照射面から照射された放射線を検出して、検出した放射線量に応じた放射線画像を示す画像情報を出力する放射線検出手段と、表示面及び該表示面の反対側に設けられた放射線を遮蔽する遮蔽部材を備え、前記表示面が前記照射面と反対方向を向くように前記放射線検出手段の前記照射面の反対側に配置され、前記放射線検出手段から出力された前記画像情報に基づいた放射線画像が前記表示面に表示される表示手段と、を含んで構成されている。
【００１８】
請求項３に記載の可搬型放射線画像検出装置によれば、放射線が照射される照射面が備えられた放射線検出手段により、被検体を透過して照射面から照射された放射線が検出され、検出された放射線量に応じた放射線画像を示す画像情報が出力される。
【００１９】
ここで、本発明では、放射線検出手段の照射面と反対方向を向くように放射線検出手段の照射面の反対側に配置された表示面及び該表示面の反対側に設けられた放射線を遮蔽する遮蔽部材が備えられた表示手段により、放射線検出手段から出力された画像情報に基づいた放射線画像が表示面に表示される。
【００２０】
このように、請求項３に記載の可搬型放射線画像検出装置によれば、表示面の反対側に設けられた遮蔽部材よって放射線が遮蔽されると共に、表示面が放射線検出手段の照射面と反対方向を向くように放射線検出手段の照射面の反対側に配置された表示手段によって放射線画像が表示されるので、術者が被検体と放射線画像とを同時に観察しながら治療を行うことができ、かつ術者に照射される放射線の被曝線量を低減することができる。
【００２１】
なお、請求項１〜請求項３の何れか１項に記載の可搬型放射線画像検出装置は、請求項４に記載の発明のように、前記遮蔽部材を、放射線を遮蔽する材料を樹脂内部に含浸または練り込んで構成してもよい。これにより、成形性を高めることができ、かつ軽量化を図ることができる。
【００２２】
また、請求項１〜請求項３の何れか１項に記載の可搬型放射線画像検出装置は、請求項５に記載の発明のように、前記遮蔽部材を金属で構成してもよい。これにより、成形性を高めることができる。
【００２３】
一方、上記目的を達成するために、請求項６に記載の可搬型放射線画像検出装置は、放射線が照射される照射面を備え、被検体を透過して前記照射面から照射された放射線を検出して、検出した放射線量に応じた放射線画像を示す画像情報を出力する放射線検出手段と、表示面を備え、前記表示面が前記照射面と反対方向を向くように前記放射線検出手段の前記照射面の反対側に配置され、前記放射線検出手段から出力された前記画像情報に基づいた放射線画像が前記表示面に表示される表示手段と、可視光が透過する材料で構成され、放射線を遮蔽する材料を含有し、前記表示面を覆うカバー部材と、を含んで構成されている。
【００２４】
請求項６に記載の可搬型放射線画像検出装置によれば、放射線が照射される照射面が備えられた放射線検出手段により、被検体を透過して照射面から照射された放射線が検出され、検出された放射線量に応じた放射線画像を示す画像情報が出力される。
【００２５】
また、本発明では、表示面が放射線検出手段の照射面と反対方向を向くように放射線検出手段の照射面の反対側に配置された表示手段により、放射線検出手段から出力された画像情報に基づいた放射線画像が表示面に表示される。
【００２６】
ここで、本発明では、可視光が透過する材料で構成され、放射線を遮蔽する材料を含有するカバー部材により表示面が覆われる。
【００２７】
このように、請求項６に記載の可搬型放射線画像検出装置によれば、カバー部材に覆われた表示面が放射線検出手段の照射面と反対方向を向くように放射線検出手段の照射面の反対側に配置された表示手段によって放射線画像が表示されると共に、放射線検出手段及び表示手段を透過した放射線がカバー部材によって遮蔽されるので、術者が被検体と放射線画像とを同時に観察しながら治療を行うことができ、かつ術者に照射される放射線の被曝線量を低減することができる。
【００２８】
また、請求項１〜請求項６の何れか１項に記載の可搬型放射線画像検出装置は、請求項７に記載の発明のように、表示手段が略実寸サイズの大きさの放射線画像を表示するものとしてもよい。これにより、略実寸サイズの大きさの放射線画像が表示されるので、被検体と放射線画像とを見比べた際の大きさの違いに起因する違和感を軽減することができる。
【００２９】
一方、上記目的を達成するために、請求項８に記載の放射線画像撮影システムは、被検体を載置するための放射線が透過可能な部材で構成された載置台と、前記載置台の前記被検体が載置される側と反対側に配置される放射線源と、請求項１〜請求項７の何れか１項に記載の可搬型放射線画像検出装置と、を含んでいる。
【００３０】
従って、本発明の放射線画像撮影システムは、本発明の可搬型放射線画像検出装置と同様に作用するので、当該可搬型放射線画像検出装置と同様に、術者が被検体と放射線画像とを同時に観察しながら治療を行うことができ、かつ術者に照射される放射線の被曝線量を低減することができる。
【００３１】
なお、請求項８に記載の放射線画像撮影システムは、請求項９に記載の発明のように、前記載置台の前記被検体が載置される側に配置されると共に、当該載置台に設けられ、前記可搬型放射線画像検出装置を支持する支持部材を更に含んでもよい。これにより、可搬型放射線画像検出装置を持つ人が不要となるので、人件費を削減することができる。
【００３２】
また、請求項９記載の放射線画像撮影システムは、請求項１０に記載の発明のように、前記支持部材が、前記可搬型放射線画像検出装置の支持位置を調整する調整手段を備えてもよい。これにより、表示面を術者にとって見易い位置に調整することができる。
【００３３】
また、請求項９または請求項１０記載の放射線画像撮影システムは、請求項１１に記載の発明のように、前記載置台に設けられ、前記支持部材を当該載置台上で移動させる第１の移動手段と、前記支持部材の移動経路に対応するように前記放射線源を移動させる第２の移動手段と、を更に含んでもよい。これにより、撮影対象部位を容易に変更することができる。
【００３４】
更に、請求項１１記載の放射線画像撮影システムは、請求項１２に記載の発明のように、前記可搬型放射線画像検出装置及び前記放射線源を相対的な位置関係を維持した状態で移動させるように前記第１の移動手段及び前記第２の移動手段を制御する制御手段を更に含んでもよい。これにより、撮影対象部位をより一層容易に変更することができる。
【発明の効果】
【００３５】
本発明によれば、術者が被検体と放射線画像とを同時に観察しながら治療を行うことができ、かつ術者に照射される放射線の被曝線量を低減することができる、という効果が得られる。
【発明を実施するための最良の形態】
【００３６】
以下、図面を参照して本発明を実施するための最良の形態について詳細に説明する。
【００３７】
先ず、本実施形態に係る放射線画像撮影システム１０（以下、「撮影システム１０」とも称する。）の構成について説明する。図１には、本実施形態に係る撮影システム１０を配置した様子の一例として、撮影システム１０が手術室内に設置された様子が示されている。
【００３８】
撮影システム１０は、医師１２や放射線技師の操作により放射線画像の撮影を行うものである。撮影システム１０は、患者１４が載置されるベッド１６と、撮影条件に従った放射線量からなる放射線Ｘを患者１４に照射する放射線照射装置１８と、患者１４を透過した放射線Ｘを検出し、検出した放射線量に応じた放射線画像を示す放射線画像情報（以下、単に「画像情報」とも言う。）を出力する放射線検出器３６（図２参照。）を内蔵する電子カセッテ２０と、ベッド１６に設けられ、ベッド１６の患者１４が載置される側で電子カセッテ２０を片持ち支持する支持部材２２と、放射線照射装置１８、電子カセッテ２０、後述する第１移動装置５０及び第２移動装置７８を制御するコンソール２４と、を備えている。
【００３９】
ベッド１６は、放射線Ｘを透過させる材料で構成され、患者１４が載置される略矩形平板状の載置台１６Ａと、載置台１６Ａの四隅に設けられ、載置台１６Ａを支持する脚部１６Ｂと、を備えている。
【００４０】
放射線照射装置１８は、載置台１６Ａの裏側（患者１４が載置される側と反対側）から載置台１６Ａ上の患者１４に放射線Ｘが照射されるように載置台１６Ａの裏側に配置されている。
【００４１】
電子カセッテ２０は、裏面を上方に向けた状態で、放射線照射装置１８から照射された放射線Ｘが載置台１６Ａ及び患者１４を透過して放射線検出器３６により検出されるように載置台１６Ａの表側（患者１４が載置される側）に配置されている。
【００４２】
図２には、本実施形態に係る電子カセッテ２０の内部構成が示されている。
【００４３】
同図に示すように、電子カセッテ２０は、放射線Ｘを透過させる材料からなる略矩形平板状の筐体３０を備えている。電子カセッテ２０は、手術室等で使用されるとき、血液やその他の雑菌が付着するおそれがある。そこで、筐体３０を防水性、密閉性を有する構造として、必要に応じて殺菌洗浄することにより、１つの電子カセッテ２０を繰り返し続けて使用することができる。筐体３０の側面には通信ケーブルを接続するための接続端子２０Ａが設けられている。筐体３０の内部には、放射線Ｘが照射される筐体３０の照射面３２側から、放射線Ｘの散乱線を除去するグリッド３４と、放射線Ｘが照射される照射面３６Ａを備え、患者１４を透過して照射面３６Ａから照射された放射線Ｘを検出して、検出した放射線量に応じた放射線画像を示す画像情報を出力する放射線検出器３６と、放射線Ｘのバック散乱線を吸収する鉛板３８と、が順に配設される。なお、本実施形態に係る放射線検出器３６は、略矩形平板状に形成されている。
【００４４】
また、筐体３０の内部の一端側には、マイクロコンピュータを含む電子回路及び充電可能な二次電池を収容するケース４０が配置されている。放射線検出器３６及び電子回路は、ケース４０に収容された二次電池から供給される電力によって作動する。ケース４０内部に収容された各種回路が放射線Ｘの照射に伴って損傷することを回避するため、ケース４０の照射面３２側には鉛板等の放射線を遮蔽する遮蔽部材を配設しておくことが望ましい。
【００４５】
図３には、本実施形態に係る電子カセッテ２０の内部構成を示す断面図が示されている。
【００４６】
同図に示すように、電子カセッテ２０は、表示面４２Ａが放射線検出器３６の照射面３６Ａと反対方向を向くように当該照射面３６Ａの反対側に配置され、放射線検出器３６から出力された画像情報に基づいた放射線画像が表示面４２Ａに表示されるディスプレイ４２を備えている（図１も参照。）。
【００４７】
ディスプレイ４２は、電子カセッテ２０の裏面（筐体３０の照射面３２の反対側の面）に取り付けられており、放射線検出器３６により得られた画像情報により示される放射線画像を略実寸サイズで表示する。
【００４８】
なお、本実施形態に係る鉛板３８は、放射線検出器３６を透過した放射線Ｘがディスプレイ４２に照射されないように、放射線検出器３６とディスプレイ４２との間に設けられており、筐体３０の内壁に固定されている。
【００４９】
図４には、本実施形態に係る載置台１６Ａ、支持部材２２及びその周辺の構成を示す断面図が示されている。
【００５０】
同図に示されるように、載置台１６Ａの上面（患者１４が載置される面）の一側端部には長手方向に沿って長溝４８が形成されている（図１も参照。）。載置台１６Ａには、長溝４８に連通しており、支持部材２２の一部が収容され、かつ支持部材２２を載置台１６Ａ上で移動させる第１移動装置５０が収容される収容室５２が形成されている。
【００５１】
支持部材２２は、収容室５２に収容される基部５４と、当該基部５４の上面に設けられ、収容室５２から長溝４８介して載置台１６Ａ上に突出しているフレーム５６と、基端部がＬ字状に屈曲しているフレーム５８と、を備えている。
【００５２】
フレーム５６には、突出方向に沿って複数の孔６０が設けられている。フレーム５８は、複数の孔６０の何れか１つにボルト６２が通され、当該ボルト６２がフレーム５８の基端部にねじ込まれることによりフレーム５６に締結固定される。また、フレーム５８の先端にはディスプレイ４２の表示面４２Ａを上方に向けた状態で電子カセッテ２０の筐体３０がボルトにより締結固定されている。
【００５３】
なお、ボルト６２を通す孔６０を他の孔６０に変えて当該ボルト６２によってフレーム５８の基端部をフレーム５６に締結固定することにより、支持部材２２による電子カセッテ２０の支持位置を調整することができる。
【００５４】
基部５４の両側面にはフランジ５４Ａが設けられており、収容室５２内の基部５４の下側には第１移動装置５０が配設されている。
【００５５】
第１移動装置５０は、ギアユニット６４と、基部５４の下面５４Ｂに固定され、ギアユニット６４に動力を伝達するモータ６６と、基部５４の下面５４Ｂに固定され、コンソール２４の指示に従ってモータ６６の駆動を制御する制御装置６８と、を備えている。
【００５６】
ギアユニット６４は、モータ６６から動力を受けて駆動される駆動ギア６４Ａと、駆動ギア６４Ａに噛み合うピニオンギア６４Ｂと、を備えている（図５も参照。）。
【００５７】
収容室５２内の両側壁には、フランジ５４Ａが載置台１６Ａの長手方向に摺動可能となるように嵌め込まれる長溝５２Ａが長溝４８と略平行に当該長溝４８とほぼ同じ長さだけ設けられている。また、収容室５２の底にはピニオンギア６４Ｂが噛み合うラックギア６９が長溝５２Ａと略平行に当該長溝５２Ａとほぼ同じ長さだけ敷設されている（図５も参照。）。
【００５８】
図６には、本実施形態に係る放射線照射装置１８の周辺の構成を示す断面図が示されている。
【００５９】
同図に示されるように、放射線照射装置１８は支持部材７０によって支持されている。支持部材７０は、基部７２と、当該基部７２の上面に設けられ、先端に放射線照射装置１８が固定されたフレーム７３と、を備えている。
【００６０】
支持部材７０の基部７２は、収容体７４に収容されている。収容体７４は、載置台１６Ａの患者１４が載置される側の反対側の床に載置されている（図１も参照。）。収容体７４は、長手方向の長さが載置台１６Ａの長手方向の長さとほぼ同一の直方体状に形成されており、支持部材２２により片持ち支持されている電子カセッテ２０の真下に位置し、かつ長手方向の向きが載置台１６Ａの長手方向の向きとほぼ一致するように設置されている。
【００６１】
収容体７４の上面には、長手方向に沿って、支持部材２２に片持ち支持されている電子カセッテ２０の中心の真下を通るように長溝７６が形成されている（図１も参照。）。収容体７４には、長溝７６に連通しており、長溝７６を介して収容体７４上にフレーム７３が突出するように支持部材７０の基部７２が収容され、かつ支持部材７０を収容体７４上で移動させる第２移動装置７８が収容される収容室８０が形成されている。
【００６２】
基部７２の両側面にはフランジ７２Ａが設けられており、収容室８０内の基部７２の下側には第２移動装置７８が配設されている。
【００６３】
第２移動装置７８は、ギアユニット８２と、基部７２の下面７２Ｂに固定され、ギアユニット８２に動力を伝達するモータ８４と、基部７２の下面７２Ｂに固定され、コンソール２４の指示に従ってモータ８４の駆動を制御する制御装置８６と、を備えている。
【００６４】
ギアユニット８２は、モータ８４から動力を受けて駆動される駆動ギア８２Ａと、駆動ギア８２Ａに噛み合うピニオンギア８２Ｂと、を備えている（図５も参照。）。
【００６５】
収容室８０内の両側壁には、フランジ７２Ａが収容体７４の長手方向に摺動可能となるように嵌め込まれる長溝８０Ａが長溝７６と略平行に当該長溝７６とほぼ同じ長さだけ設けられている。また、収容室８０の底にはピニオンギア８２Ｂが噛み合うラックギア８５が長溝８０Ａと略平行に当該長溝８０Ａとほぼ同じ長さだけ敷設されている（図５も参照。）。
【００６６】
図７には、本実施形態に係る撮影システム１０の構成を示すブロック図が示されている。
【００６７】
放射線照射装置１８には、コンソール２４と通信を行うための接続端子１８Ａが設けられている。コンソール２４には、放射線照射装置１８と通信を行うための接続端子２４Ａ、電子カセッテ２０と通信を行うための接続端子２４Ｂ、第１移動装置５０と無線通信を行うためのアンテナ２４Ｃ、及び第２移動装置７８と無線通信を行うためのアンテナ２４Ｄが設けられている。
【００６８】
放射線照射装置１８は、通信ケーブル９０を介してコンソール２４に接続されている。電子カセッテ２０は、放射線画像の撮影時に、接続端子２０Ａに通信ケーブル９２が接続され、当該通信ケーブル９２を介してコンソール２４に接続される。なお、本実施形態では、電子カセッテ２０とコンソール２４との間のデータ転送の高速化を図るために、通信ケーブル９２に光ファイバを採用した光通信ケーブルを用いており、光通信によって電子カセッテ２０とコンソール２４との間でデータの転送を行っている。
【００６９】
電子カセッテ２０に内蔵された放射線検出器３６は、ＴＦＴアクティブマトリクス基板９４上に、放射線Ｘを吸収し、電荷に変換する光電変換層が積層されて構成されている。光電変換層は例えばセレンを主成分（例えば含有率５０％以上）とする非晶質のａ−Ｓｅ（アモルファスセレン）から成り、放射線Ｘが照射されると、照射された放射線量に応じた電荷量の電荷（電子−正孔の対）を内部で発生することで、照射された放射線Ｘを電荷へ変換する。なお、放射線検出器３６は、アモルファスセレンのような放射線Ｘを直接的に電荷に変換する放射線-電荷変換材料の代わりに、蛍光体材料と光電変換素子（フォトダイオード）を用いて間接的に電荷に変換しても良い。蛍光体材料としては、ガドリニウム硫酸化物（ＧＯＳ）やヨウ化セシウム（ＣｓＩ）が良く知られている。この場合、蛍光材料によって放射線Ｘ−光変換を行い、光電変換素子のフォトダイオードによって光−電荷変換を行なう。
【００７０】
また、ＴＦＴアクティブマトリクス基板９４上には、光電変換層で発生された電荷を蓄積する蓄積容量９６と、蓄積容量９６に蓄積された電荷を読み出すためのＴＦＴ９８とを備えた画素部１００（図７では個々の画素部１００に対応する光電変換層を光電変換部１０２として模式的に示している）がマトリクス状に多数個配置されており、電子カセッテ２０への放射線Ｘの照射に伴って光電変換層で発生された電荷は、個々の画素部１００の蓄積容量９６に蓄積される。これにより、電子カセッテ２０に照射された放射線Ｘに担持されていた画像情報は電荷情報へ変換されて放射線検出器３６に保持される。
【００７１】
また、ＴＦＴアクティブマトリクス基板９４には、一定方向（行方向）に延設され個々の画素部１００のＴＦＴ９８をオンオフさせるための複数本のゲート配線１０４と、ゲート配線１０４と直交する方向（列方向）に延設されオンされたＴＦＴ９８を介して蓄積容量９６から蓄積電荷を読み出すための複数本のデータ配線１０６が設けられている。個々のゲート配線１０４はゲート線ドライバ１０８に接続されており、個々のデータ配線１０６は信号処理部１１０に接続されている。個々の画素部１００の蓄積容量９６に電荷が蓄積されると、個々の画素部１００のＴＦＴ９８は、ゲート線ドライバ１０８からゲート配線１０４を介して供給される信号により行単位で順にオンされ、ＴＦＴ９８がオンされた画素部１００の蓄積容量９６に蓄積されている電荷は、電荷信号としてデータ配線１０６を伝送されて信号処理部１１０に入力される。従って、個々の画素部１００の蓄積容量９６に蓄積されている電荷は行単位で順に読み出される。
【００７２】
図８には、本実施形態に係る放射線検出器３６の１画素部分に注目した等価回路図が示されている。
【００７３】
同図に示すように、ＴＦＴ９８のソースは、データ配線１０６に接続されており、このデータ配線１０６は、信号処理部１１０に接続されている。また、ＴＦＴ９８のドレインは蓄積容量９６及び光電変換部１０２に接続され、ＴＦＴ９８のゲートはゲート配線１０４に接続されている。
【００７４】
信号処理部１１０は、個々のデータ配線１０６毎にサンプルホールド回路１１２を備えている。個々のデータ配線１０６を伝送された電荷信号はサンプルホールド回路１１２に保持される。サンプルホールド回路１１２はオペアンプ１１２Ａとコンデンサ１１２Ｂを含んで構成され、電荷信号をアナログ電圧に変換する。また、サンプルホールド回路１１２にはコンデンサ１１２Ｂの両電極をショートさせ、コンデンサ１１２Ｂに蓄積された電荷を放電させるリセット回路としてスイッチ１１２Ｃが設けられている。
【００７５】
サンプルホールド回路１１２の出力側にはマルチプレクサ１１４、Ａ／Ｄ変換器１１６が順に接続されており、個々のサンプルホールド回路に保持された電荷信号はアナログ電圧に変換されてマルチプレクサ１１４に順に（シリアルに）入力され、Ａ／Ｄ変換器１１６によってデジタルの画像情報へ変換される。
【００７６】
信号処理部１１０にはラインメモリ１１８が接続されており（図７参照。）、信号処理部１１０のＡ／Ｄ変換器１１６から出力された画像情報はラインメモリ１１８に順に記憶される。ラインメモリ１１８は放射線画像を示す画像情報を所定ライン分記憶可能な記憶容量を有しており、１ラインずつ電荷の読み出しが行われる毎に、読み出された１ライン分の画像情報がラインメモリ１１８に順次記憶される。
【００７７】
ラインメモリ１１８は電子カセッテ２０全体の動作を制御するカセッテ制御部１２０と接続されている。カセッテ制御部１２０はマイクロコンピュータによって実現されており、光通信制御部１２２が接続されている。この光通信制御部１２２は、接続端子２０Ａに接続されており、接続端子２０Ａを介して接続された外部機器との間での各種情報の伝送の制御を行う。カセッテ制御部１２０は、光通信制御部１２２を介して外部機器との間で各種情報の送受信が可能とされている。
【００７８】
また、電子カセッテ２０は、ディスプレイ４２の表示制御を行うディスプレイドライバ１２４を備えており、ディスプレイドライバ１２４にはカセッテ制御部１２０が接続されている。カセッテ制御部１２０は、ラインメモリ１１８に記憶されている画像情報を読み出し、当該画像情報により示される放射線画像をディスプレイ４２に表示させる。
【００７９】
更に、電子カセッテ２０は電源部１２６を備えており、上述した各種回路や各素子(ゲート線ドライバ１０８、信号処理部１１０、ラインメモリ１１８、光通信制御部１２２やカセッテ制御部１２０として機能するマイクロコンピュータ)は、電源部１２６から供給された電力によって作動する。電源部１２６は、電子カセッテ２０の可搬性を損なわないように、バッテリ（充電可能な二次電池）を内蔵しており、充電されたバッテリから各種回路・素子へ電力を供給する。
【００８０】
一方、コンソール２４は、サーバ・コンピュータとして構成されており、操作メニューや撮影された放射線画像等を表示するディスプレイ１３６と、複数のキーを含んで構成され、各種の情報や操作指示が入力される操作パネル１４０と、を備えている。
また、本実施形態に係るコンソール２４は、装置全体の動作を司るＣＰＵ１２８と、制御プログラムを含む各種プログラム等が予め記憶されたＲＯＭ１３０と、各種データを一時的に記憶するＲＡＭ１３２と、各種データを記憶して保持するＨＤＤ（ハード・ディスク・ドライブ）１３４と、ディスプレイ１３６への各種情報の表示を制御するディスプレイドライバ１３８と、操作パネル１４０に対する操作状態を検出する操作入力検出部１４２と、接続端子２４Ａに接続され、接続端子２４Ａ及び通信ケーブル９０を介して放射線照射装置１８との間で曝射条件や放射線照射装置１８の状態情報等の各種情報の送受信を行う通信インタフェース（Ｉ／Ｆ）部１４４と、接続端子２４Ｂに接続され、接続端子２４Ｂ及び通信ケーブル９２を介して電子カセッテ２０との間で画像情報等の各種情報の送受信を行う光通信制御部１４６と、アンテナ２４Ｃに接続され、第１移動装置５０との間で無線通信を行う無線通信制御部１４８と、第２移動装置７８との間で無線通信を行う無線通信制御部１５０と、を備えている。
【００８１】
ＣＰＵ１２８、ＲＯＭ１３０、ＲＡＭ１３２、ＨＤＤ１３４、ディスプレイドライバ１３８、操作入力検出部１４２、通信Ｉ／Ｆ部１４４、光通信制御部１４６、及び無線通信制御部１４８，１５０は、システムバスＢＵＳを介して相互に接続されている。従って、ＣＰＵ１２８は、ＲＯＭ１３０、ＲＡＭ１３２、ＨＤＤ１３４へのアクセスを行うことができると共に、ディスプレイドライバ１３８を介したディスプレイ１３６への各種情報の表示の制御、操作入力検出部１４２を介した操作パネル１４０に対するユーザの操作状態の把握、通信Ｉ／Ｆ部１４４を介した放射線照射装置１８との各種情報の送受信の制御、光通信制御部１４６を介した電子カセッテ２０との各種情報の送受信の制御、無線通信制御部１４８を介した第１移動装置５０との各種情報の送受信の制御、及び無線通信制御部１５０を介した第２移動装置７８との各種情報の送受信の制御、を各々行うことができる。
【００８２】
一方、放射線照射装置１８は、放射線Ｘを出力する放射線源１５２と、コンソール２４との間で曝射条件や放射線照射装置１８の状態情報等の各種情報を送受信する通信Ｉ／Ｆ部１５４と、受信した曝射条件に基づいて放射線源１５２を制御する線源制御部１５６と、を備えている。線源制御部１５６もマイクロコンピュータによって実現されており、受信した曝射条件を記憶し、記憶した曝射条件に基づいて放射線源１５２から放射線Ｘを照射させる。
【００８３】
一方、第１移動装置５０は、モータ６６及び制御装置６８の他に、コンソール２４と無線通信を行うためのアンテナ５０Ａを備えている。制御装置６８は、第１移動装置５０全体の動作を制御するコントローラ６８Ａと、モータ６６の駆動を制御するモータドライバ６８Ｂと、アンテナ５０Ａに接続され、アンテナ５０Ａを介してコンソール２４との間で無線通信を行う無線通信制御部６８Ｃと、コントローラ６８Ａ、モータドライバ６８Ｂ、無線通信制御部６８Ｃ及びモータ６６に電力を供給する電源部６８Ｄと、を備えている。
【００８４】
コントローラ６８Ａは、マイクロコンピュータによって実現されており、モータドライバ６８Ｂ及び無線通信制御部６８Ｃが接続されている。従って、コントローラ６８Ａは、コンソール２４からの指示に従って、モータドライバ６８Ｂを介してモータ６６の駆動を制御することができ、かつ、モータ６６の駆動状態を把握し、当該駆動状態を示す情報を無線通信制御部６８Ｃを介してコンソール２４に送信することができる。
【００８５】
一方、第２移動装置７８は、モータ８４及び制御装置８６の他に、コンソール２４と無線通信を行うためのアンテナ７８Ａを備えている。制御装置８６は、第２移動装置７８全体の動作を制御するコントローラ８６Ａと、モータ８４の駆動を制御するモータドライバ８６Ｂと、アンテナ７８Ａに接続され、アンテナ７８Ａを介してコンソール２４との間で無線通信を行う無線通信制御部８６Ｃと、コントローラ８６Ａ、モータドライバ８６Ｂ、無線通信制御部８６Ｃ及びモータ８４に電力を供給する電源部８６Ｄと、を備えている。
【００８６】
コントローラ８６Ａは、マイクロコンピュータによって実現されており、モータドライバ８６Ｂ及び無線通信制御部８６Ｃが接続されている。従って、コントローラ８６Ａは、コンソール２４からの指示に従って、モータドライバ８６Ｂを介してモータ８４の駆動を制御することができ、かつ、モータ８４の駆動状態を把握し、当該駆動状態を示す情報を無線通信制御部８６Ｃを介してコンソール２４に送信することができる。
【００８７】
次に、本実施形態に係る撮影システム１０の作用を説明する。
【００８８】
放射線照射装置１８からベッド１６の載置台１６Ａに横臥している患者１４に向けて放射線Ｘが照射されると、載置台１６Ａ及び患者１４を透過し、患者１４を透過することで画像情報を担持した後に電子カセッテ２０に到達する。電子カセッテ２０は、放射線検出器３６にて放射線Ｘを検出し、画像情報に変換した後、ディスプレイ４２に当該画像情報により示される放射線画像を表示する。これにより、医師１２はディスプレイ４２に表示される放射線画像と患者１４とを同時に観察しながら治療を行うことができる。また、この際、鉛板３８により放射線Ｘが遮蔽されるので、医師１２に照射される放射線Ｘの被曝線量を低減することができる。
【００８９】
また、コンソール２４は、操作パネル１４０に対して、放射線照射装置１８及び電子カセッテ２０の移動方向を示す移動方向情報の入力操作と、放射線照射装置１８及び電子カセッテ２０の移動量を示す移動量情報の入力操作とが行われた後、移動方向情報及び移動量情報の第１移動装置５０及び第２移動装置７８への送信指示が行われると、入力された移動方向情報及び移動量情報を無線通信により第１移動装置５０及び第２移動装置７８へ送信する。第１移動装置５０は、移動方向情報及び移動量情報が受信されると、移動方向情報及び移動量情報に基づいてモータ６６の駆動を制御し、第２移動装置７８は、移動方向情報及び移動量情報が受信されると、移動方向情報及び移動量情報に基づいてモータ８４の駆動を制御する。これにより、放射線照射装置１８及び電子カセッテ２０が相対的な位置関係を維持した状態で載置台１６Ａの長手方向に沿って所望の位置まで移動する。
【００９０】
このように、放射線照射装置１８及び電子カセッテ２０の位置を容易に変更することができるので、患者１４を移動させずに撮影対象部位を容易に変更することができる。
【００９１】
以上詳細に説明したように、本実施形態に係る電子カセッテ２０では、放射線Ｘが照射される照射面３６Ａを備え、患者１４を透過して照射面３６Ａから照射された放射線Ｘを検出して、検出した放射線量に応じた放射線画像を示す画像情報を出力する放射線検出器３６と、表示面４２Ａを備え、表示面４２Ａが照射面３６Ａと反対方向を向くように放射線検出器３６の照射面３６Ａの反対側に配置され、放射線検出器３６から出力された画像情報に基づいた放射線画像が表示面４２Ａに表示されるディスプレイ４２と、放射線検出器３６とディスプレイ４２との間に介在され、放射線検出器３６を透過した放射線Ｘがディスプレイ４２に照射されないように遮蔽する鉛板３８と、を備えているので、医師１２が患者１４と放射線画像とを同時に観察しながら治療を行うことができ、かつ医師１２に照射される放射線の被曝線量を低減することができる。
【００９２】
また、本実施形態に係る電子カセッテ２０では、ディスプレイ４２が略実寸サイズの大きさの放射線画像を表示するので、患者１４と放射線画像とを見比べた際の大きさの違いに起因する違和感を軽減することができる。
【００９３】
また、本実施形態に係る撮影システム１０では、載置台１６Ａの患者１４が載置される側に配置されると共に、載置台１６Ａに設けられ、電子カセッテ２０を支持する支持部材２２を備えることにより、電子カセッテ２０を持つ人が不要となるので、人件費を削減することができる。
【００９４】
また、本実施形態に係る撮影システム１０では、支持部材２２が電子カセッテ２０の支持位置を調整する複数の孔６０及びボルト６２を備えているので、ディスプレイ４２の表示面４２Ａを医師１２にとって見易い位置に調整することができる。
【００９５】
また、本実施形態に係る撮影システム１０では、載置台１６Ａに設けられ、支持部材２２を載置台１６Ａ上で移動させる第１移動装置５０と、支持部材２２の移動経路に対応するように放射線照射装置１８を移動させる第２移動装置７８と、を備え、電子カセッテ２０及び放射線照射装置１８を相対的な位置関係を維持した状態で移動させるように制御を行っているので、撮影対象部位を容易に変更することができる。
【００９６】
以上、本発明を上記実施形態を用いて説明したが、本発明の技術的範囲は上記実施形態に記載の範囲には限定されない。発明の主旨を逸脱しない範囲で上記実施形態に多様な変更または改良を加えることができ、当該変更または改良を加えた形態も本発明の技術的範囲に含まれる。
【００９７】
また、上記実施形態は、特許請求の範囲に記載された発明を限定するものではなく、また、上記実施形態の中で説明されている特徴の組み合わせの全てが発明の解決手段に必須であるとは限らない。上記実施形態には種々の段階の発明が含まれており、開示される複数の構成要件における状況に応じた組み合わせにより種々の発明を抽出できる。上記実施形態に示される全構成要件から幾つかの構成要件が削除されても、効果が得られる限りにおいて、この幾つかの構成要件が削除された構成が発明として抽出され得る。
【００９８】
例えば、上記実施形態では、鉛板３８により放射線Ｘを遮蔽する形態例を挙げて説明したが、本発明はこれに限定されるものではなく、タングステンやモリブテンなどの放射線Ｘを遮蔽することができる１種類の元素又は複数の元素で構成された板状部材やシート状部材などにより放射線Ｘを遮蔽するようにしてもよい。また、放射線Ｘを遮蔽する能力を必要とされる程度確保できれば、上記のような放射線Ｘの遮蔽能力のある元素と放射線Ｘの遮蔽能力のない元素とが配合された組成物であってもよい。例えば、上記のような放射線Ｘを遮蔽する能力のある元素の単体またはその化合物を、放射線Ｘを遮蔽する能力のない樹脂材料に含浸または練り込んだものであってもよく、この場合、成形性が高くなり、軽量化を図ることもできるので好ましい。
【００９９】
また、上記実施形態では、コンソール２４の指示に従ってモータ６６，８４の駆動を制御することにより放射線照射装置１８及び支持部材２２を所望の位置に移動させる形態例を挙げて説明したが、本発明はこれに限定されるものではなく、放射線照射装置１８及び支持部材２２を手動で所望の位置に移動させてもよい。
【０１００】
また、上記実施形態では、鉛板３８を筐体３０の内壁に固定したが、本発明はこれに限定されるものではなく、図９に示すように、照射面３６Ａの反対側の面に鉛板３８が設けられた放射線検出器３６を、放射線Ｘを透過させる材料で構成された筐体３０Ｂの内部に設けて構成された電子カセッテ２０Ｂに対してディスプレイ４２が着脱自在に取付けられる構成としてもよい。この場合、ディスプレイ４２は、表示面４２Ａが照射面３６Ａと反対方向を向くように放射線検出器３６Ｂの鉛板３８側に配置される。また、図１０に示すように、放射線Ｘを透過させる材料で構成された筐体３０Ｂの内部に放射線検出器３６を設けて構成された電子カセッテ２０Ｃに対して、表示面４２Ａの反対側の面に鉛板３８が設けられたディスプレイ４２が着脱自在に取付けられる構成としてもよい。この場合、ディスプレイ４２は、表示面４２Ａが照射面３６Ａと反対方向を向くように放射線検出器３６の照射面３６Ａの反対側に配置される。
【０１０１】
また、上記実施形態では、放射線Ｘを遮蔽する遮蔽部材である鉛板３０を放射線検出器３６とディスプレイ４２との間に介在させたが、本発明はこれに限定されるものではなく、図１１に示すように、放射線検出器３６とディスプレイ４２との間に放射線Ｘを遮蔽する遮蔽部材が介在されていない電子カセッテ２０Ｄのディスプレイ４２の表示面４２Ａを、鉛を含有したガラス（例えば、クリスタルガラス）１６０で覆ってもよい。この場合も上記実施形態と同様の作用・効果を得ることができる。なお、ガラスではなく可視光が透過する樹脂の内部に放射線を遮蔽する材料を含浸または練り込んだもので表示面４２Ａを覆ってもよい。
【０１０２】
また、上記実施形態では、放射線照射装置１８及び電子カセッテ２０を別々に移動させるようにしたが、本発明はこれに限定されるものではなく、放射線照射装置１８及び電子カセッテ２０を一体化させて移動させてもよい。この場合、放射線照射装置１８と支持部材２２とを連結部材で連結する形態が例示できる。このように放射線照射装置１８及び電子カセッテ２０を一体化させることにより駆動源を１つにすることができ、この結果、コストを削減することができる。
【０１０３】
その他、上記実施形態で説明した撮影システム１０の構成（図１〜図８を参照。）は一例であり、本発明の主旨を逸脱しない範囲内において状況に応じて変更可能であることは言うまでもない。
【図面の簡単な説明】
【０１０４】
【図１】実施形態に係る撮影システムが設置された手術室の様子を示す図である。
【図２】実施形態に係る電子カセッテの内部構成を示す斜視図である。
【図３】実施形態に係る電子カセッテの内部構成を示す断面図である。
【図４】実施形態に係る載置台、支持部材及びその周辺の構成を示す断面図である。
【図５】実施形態に係る載置台の内部構成を示す断面図である。
【図６】実施形態に係る放射線照射装置の周辺の構成を示す断面図である。
【図７】実施形態に係る撮影システムの構成を示すブロック図である。
【図８】実施形態に係る放射線検出器の１画素部分に注目した等価回路図である。
【図９】他の実施形態に係る電子カセッテの内部構成を示す断面図である。
【図１０】他の実施形態に係る電子カセッテの内部構成を示す断面図である。
【図１１】他の実施形態に係る電子カセッテの内部構成を示す断面図である。
【符号の説明】
【０１０５】
１０  放射線画像撮影システム
１４  患者（被検体）
１６Ａ  載置台
２０  電子カセッテ
２２  支持部材
２４  コンソール（制御手段）
３６  放射線検出器（放射線検出手段）
３６Ａ  照射面
３８  鉛板（遮蔽部材）
４２  ディスプレイ（表示手段）
４２Ａ  表示面
５０  第１移動装置（第１の移動手段）
６０  孔（調整手段）
６２  ボルト（調整手段）
７８  第２移動装置（第２の移動手段）
１５２  放射線源
１６０  ガラス（カバー部材）
【図１】
2010042197.tif 000003
【図２】
2010042197.tif 000004
【図３】
2010042197.tif 000005
【図４】
2010042197.tif 000006
【図５】
2010042197.tif 000007
【図６】
2010042197.tif 000008
【図７】
2010042197.tif 000009
【図８】
2010042197.tif 000010
【図９】
2010042197.tif 000011
【図１０】
2010042197.tif 000012
【図１１】
2010042197.tif 000013